(57)【特許請求の範囲】
【請求項１】
シート状材料で形成され、組み立てることによって太陽電池モジュールの長側面近傍を被覆する太陽電池モジュール用梱包体であって、
前記シート状材料は、
組立後に前記太陽電池モジュールの天面を覆う矩形状の天面部と、
前記天面部の長辺の一方に隣接して設けられ、組立後に前記太陽電池モジュールの長側面を覆う矩形状の側面部と、
前記側面部の前記天面部が隣接する長辺と対向する長辺に隣接して設けられ、組立後に前記太陽電池モジュールの底面を覆う矩形状の底面部と、
前記底面部の少なくとも一方の短辺に隣接して設けられ、組立後に前記太陽電池モジュールの短側面を覆う第１の側壁面部と、
前記第１の側壁面部が設けられた前記底面部の短辺と同じ側の前記側面部の短辺に隣接して設けられ、組立の際に先端側と基部側とが前記第１の側壁面部を表裏から挟み込むように前記第１の側壁面部に係合する第２の側壁面部と、
前記第１の側壁面部が設けられた前記底面部の短辺と同じ側の前記天面部の短辺に隣接して設けられ、組立の際に前記第２の側壁面部と前記第１の側壁面部との間に先端が差し込まれて、先端側と基部側とが前記第１の側壁面部を表裏から挟み込むように該第１の側壁面部に係合する第３の側壁面部と、
を備えることを特徴とする太陽電池モジュール用梱包体。
【請求項２】
前記第１の側壁面部は、先端側かつ前記第２の側壁面部と逆側の端の近傍が切り欠かれた凹部を有し、
前記第２の側壁面部は、基部側と先端側との間で括れるように前記第１の側壁面部側から凸状に形成された切り欠きを有し、
前記第３の側壁面部は、基部側と先端側との間で括れるように前記第２の側壁面部側から凸状に形成された切り欠きを有し、
前記第２及び第３の側壁面部は、前記切り欠きの括れた部分が前記凹部において前記第１の側壁面部を表裏に跨いで該第１の側壁面部に係合することを特徴とする請求項１に記載の太陽電池モジュール用梱包体。
【請求項３】
シート状材料で形成され、組み立てることによって積み重ねられた複数の太陽電池モジュールの長側面近傍を被覆して梱包する太陽電池モジュール用梱包体であって、
前記シート状材料は、
積み重ねられた前記複数の太陽電池モジュールのうち最も上に配置されたものの天面を組立後に覆う矩形状の天面部と、
前記天面部の長辺の一方に隣接して設けられ、積み重ねられた前記複数の太陽電池モジュールの各々の長側面を組立後に覆う矩形状の側面部と、
前記側面部の前記天面部が隣接する長辺と対向する長辺に隣接して設けられ、積み重ねられた前記複数の太陽電池モジュールのうち最も下に配置されたものの底面を組立後に覆う矩形状の底面部と、
前記底面部の少なくとも一方の短辺に隣接して設けられ、積み重ねられた前記複数の太陽電池モジュールのうち最も下に配置されたものの短側面を組立後に覆う第１の側壁面部と、
前記第１の側壁面部の前記底面部が隣接する辺と対向する辺に隣接して設けられ、積み重ねられた前記複数の太陽電池モジュールのうち最も下に配置されたものの天面を覆う折返面部と、
前記底面部から前記側面部へ向かう方向で前記折返面部から突出して設けられ、積み重ねられた前記複数の太陽電池モジュールのうち最も下に配置されたものの長側面を覆う側壁部と、
前記第１の側壁面部が設けられた前記底面部の短辺と同じ側の前記側面部の短辺に設けられ、組立の際に先端側と基部側とが前記第１の側壁面部を表裏から挟み込むように前記第１の側壁面部に係合する第２の側壁面部と、
前記第１の側壁面部が設けられた前記底面部の短辺と同じ側の前記天面部の短辺に設けられ、組立の際に前記第２の側壁面部と前記第１の側壁面部の間に先端が差し込まれて、先端側と基部側とが前記第１の側壁面部を表裏から挟み込むように該第１の側壁面部に係合する第３の側壁面部と、
を備えることを特徴とする太陽電池モジュール用梱包体。
【請求項４】
前記第１の側壁面部と前記折返面部との境界には、前記側壁部が前記折返面部から突出する方向と逆の方向から設けられたスリットが形成されており、
前記第２の側壁面部は、基部側と先端側との間で括れるように前記第１の側壁面部側から凸状に形成された切り欠きを有し、
前記第３の側壁面部は、基部側と先端側との間で括れるように前記第２の側壁面部側から凸状に形成された切り欠きを有し、
前記第２及び第３の側壁面部は、前記切り欠きの括れた部分が前記スリットにおいて前記第１の側壁面部を表裏に跨いで該第１の側壁面部に係合することを特徴とする請求項３に記載の太陽電池モジュール用梱包体。
【発明の詳細な説明】
【技術分野】
【０００１】
本発明は、太陽電池モジュールの長側面を被覆して梱包する太陽電池モジュール用梱包体に関する。
【背景技術】
【０００２】
太陽電池モジュールを保管・運搬する際には、製品同士が接触して傷ついたり、他の物品等を傷つけたりすることを防止するために、太陽電池モジュールを梱包している。太陽電池モジュールは、その側面と裏面とを覆うように梱包材としての段ボールを組み立て、テープで固定することによって、安全に輸送しうるように梱包していた。このため、梱包材の使用量が多く、梱包・開梱の作業効率が良くなかった。
【０００３】
テープを使用せず、梱包材の使用量を削減した梱包体として、特許文献１では、太陽電池モジュールの長側面を被覆して包装するための左右一対のシートからなる太陽電池モジュール用梱包箱であって、一方のシート表面の横に折目を介して側面と裏面とを連接し、表面の上方には、折目を介して上面と折返上面とを連接するとともに、表面の下方は、折目を介して下面と折返下面とを連接し、側面の上下方向の横には折目を介して上下フラップ部を連接し、裏面の上下には上係止片と下係止片とを連接したものからなり、各折目を内側に折曲し、係止部に係止片を係止させて組立て、組立モジュールを積み重ねて輸送する際に舌片によって荷崩れしないようにした太陽電池モジュール用梱包箱を構成するものである。
【先行技術文献】
【特許文献】
【０００４】
【特許文献１】実用新案登録第３０９７１４７号公報
【発明の概要】
【発明が解決しようとする課題】
【０００５】
しかしながら、上記特許文献１に開示される構造では、係止片を折曲げなければ組み立てることができないため作業効率が良くない。また、段ボールの反発力により係止片が抜けやすいという問題があった。
【０００６】
本発明は、上記に鑑みてなされたものであって、梱包・開梱作業効率が高く、太陽電池モジュールを強固に固定でき、繰り返し使用が可能な太陽電池モジュール用梱包体を得ることを目的とする。
【課題を解決するための手段】
【０００７】
上述した課題を解決し、目的を達成するために、本発明は、シート状材料で形成され、組み立てることによって太陽電池モジュールの長側面近傍を被覆する太陽電池モジュール用梱包体であって、シート状材料は、組立後に太陽電池モジュールの天面を覆う天面部と、展開状態での天面部の横方向の一方に隣接して設けられ、組立後に太陽電池モジュールの長側面を覆う側面部と、展開状態での側面部の横方向の一方側に隣接して設けられ、組立後に太陽電池モジュールの底面を覆う底面部と、展開状態で底面部の縦方向の少なくとも一方に隣接して設けられ、組立後に太陽電池モジュールの短側面を覆う第１の側壁面部と、展開状態で側面部の縦方向の第１の側壁面部と同じ側に隣接して設けられ、組立の際に先端側と基部側とが側壁部を表裏から挟み込むように第１の側壁面部に係合する第２の側壁面部と、展開状態で天面部の縦方向の第１の側壁面部と同じ側に隣接して設けられ、組立の際に第２の側壁面部と第１の側壁面部との間に先端が差し込まれて、先端側と基部側とが第１の側壁面部を表裏から挟み込むように第１の側壁面部に係合する第３の側壁面部と、を備えることを特徴とする。
【発明の効果】
【０００８】
本発明によれば、テープを使用したり係止片を折曲げる必要がないため、梱包・開梱作業効率が高く、シートの反発力を利用して太陽電池モジュールを強固に固定でき、また繰り返し使用が可能で、梱包材の使用量を削減でき、環境への負荷を軽減できるという効果を奏する。
【図面の簡単な説明】
【０００９】
【図１】図１は、本発明にかかる太陽電池モジュール用梱包体の実施の形態１の構成を示す展開図である。
【図２】図２は、太陽電池モジュール用梱包体の組立手順を示す図である。
【図３】図３は、太陽電池モジュール用梱包体によって被覆して梱包した太陽電池モジュールをポリプロピレンバンドで締め付けた状態を示す図である。
【図４】図４は、ポリプロピレンバンドで締め付けた梱包後の太陽電池モジュールをパレット上に積み重ねて、ストレッチフィルムを巻き付けた状態を示す斜視図である。
【図５】図５は、本発明にかかる太陽電池モジュール用梱包体の実施の形態２の構成を示す展開図である。
【図６】図６は、展開状態の太陽電池モジュール用梱包体の上側壁面を下段太陽電池モジュールの短側面に当てて折曲げ、上折返面と上側壁部とを下段太陽電池モジュールの表面に当てて折曲げ、上係止片を上係止部で係止させ、上段太陽電池モジュールを積載した状態を示すコーナー周りの拡大正面図である。
【図７】図７は、本発明にかかる太陽電池モジュール用梱包体の実施の形態３の構成を示す斜視図である。
【発明を実施するための形態】
【００１０】
以下に、本発明にかかる太陽電池モジュール用梱包体の実施の形態を図面に基づいて詳細に説明する。なお、この実施の形態によりこの発明が限定されるものではない。
【００１１】
実施の形態１．
図１は、本発明にかかる太陽電池モジュール用梱包体の実施の形態１の構成を示す展開図である。
【００１２】
太陽電池モジュール用梱包体１０は展開状態においてはシート状であり、例えば段ボールを材料として形成される。太陽電池モジュール用梱包体１０は、展開状態においては、天面１ｂの横に折目Ｄ、Ｅを介して側面２ｂ及び底面３ｂが連接されている。
【００１３】
天面１ｂの上方には、上差込片１を有する上側壁面１ａ（第３の側壁面部）が折目Ａを介して連接されている。天面１ｂの下方には、下差込片４を有する下側壁面４ａ（第３の側壁面部）が折目Ｇを介して連接されている。
【００１４】
側面２ｂの上方には、上差込片２を有する上側壁面２ａ（第２の側壁面部）が折目Ｂを介して連接されている。側面２ｂの下方には、下差込片５を有する下側壁面５ａ（第２の側壁面部）が折目Ｆを介して連接されている。
【００１５】
底面３ｂの上方には、上差込部３を有する上側壁面３ａ（第１の側壁面部）が折目Ｃを介して連接されている。底面３ｂの下方には、下差込部６を有する下側壁面６ａ（第１の側壁面部）が折目Ｈを介して連接されている。
【００１６】
太陽電池モジュールの全体形状は太陽電池モジュールの外形サイズに応じて異なるため、太陽電池モジュール用梱包体１０の全体形状は太陽電池モジュールの外形サイズに応じて適宜選定される。すなわち、各部の寸法やそれらの比率は、図示したものに限定されることはない。
【００１７】
上側壁面３ａ及び下側壁面６ａは、先端側かつ横方向の一方（図１での右方向）側の端の近傍が切り欠かれた凹部３ｃ、６ｃを有する。上側壁面１ａ、２ａ及び下側壁面４ａ、５ａは、基部側と先端側との間で括れるように横方向の一方側から他方側へ凸状に形成された切り欠き１ｇ、２ｇ、４ｇ、５ｇを有する。上側壁面１ａ、２ａ及び下側壁面４ａ、５ａは、切り欠き１ｇ、２ｇ、４ｇ、５ｇの括れた部分が凹部３ｃ、６ｃにおいて上側壁面３ａや下側壁面６ａを表裏に跨ぐことでこれらに係合する。
【００１８】
図２は、太陽電池モジュール用梱包体１０の組立手順を示す図である。図２（ａ）は、上側壁面を折り曲げた状態を示すコーナー周りの拡大正面図である。図２（ｂ）は、上差込片を上差込部に差し込む状態を示すコーナー周りの拡大正面図である。図２（ｃ）は、上差込片を上側壁面と上側壁面との間から上差込部に差し込む状態を示すコーナー周りの拡大正面図である。図２（ｄ）は、組上がり状態を示すコーナー周りの拡大正面図である。なお、図２では上側壁面１ａ、２ａ、３ａの重なり方の理解を容易とするためにこれらを塗り分けて示しているが、上記のようにこれらは１枚のシート状の部材の一部である。
【００１９】
まず、図２（ａ）に示すように、太陽電池モジュールＭの長側面近傍の裏面に底面３ｂを、短側面に上側壁面３ａを当てて折り曲げる。次に、図２（ｂ）に示すように、側面２ｂを太陽電池モジュールＭの長側面に当てつつ、上差込片２を上差込部３に差込む。さらに、図２（ｃ）に示すように、天面１ｂを太陽電池モジュールＭの長側面の表面に当てつつ、上差込片１を上側壁面２ａと上側壁面３ａとの間から上差込部３に差し込む。以上の手順により、図２（ｄ）に示すように太陽電池モジュール用梱包体１０が組上がり、段ボールの反発力によって、太陽電池モジュールＭが容易かつ強固に保持される。
【００２０】
なお、底面３ｂ、側面２ｂ及び天面１ｂを折り曲げ、下差込片４、５を下差込部６に差し込むことによって太陽電池モジュール用梱包体１０を組み立てて、下側壁面４ａ、５ａ、６ａで太陽電池モジュールＭのコーナーを被覆して梱包する手順も、上記説明した梱包手順と同様である。
【００２１】
図３は、太陽電池モジュール用梱包体１０によって被覆して梱包した太陽電池モジュールＭをポリプロピレン（ＰＰ）バンドＢａで締め付けた状態を示す図である。図３に示すように、太陽電池モジュールＭを積層した際に、太陽電池モジュールＭ裏面のサポートバー（不図示）とガラス面とが接触する箇所に緩衝材としてパッドＰａを挟むことで、ガラス面の傷つきを防止することが可能となる。
【００２２】
図４は、ＰＰバンドで締め付けた梱包後の太陽電池モジュールをパレット上に積み重ねて、ストレッチフィルムを巻き付けた状態を示す斜視図である。太陽電池モジュール用梱包体１０で梱包された太陽電池モジュールＭをＰＰバンドＢａで締め付け、パレットＰＬ上に複数積載し、ストレッチフィルムＳを巻くことにより、輸送時の荷崩れを防止できる。
【００２３】
実施の形態２．
図５は、本発明にかかる太陽電池モジュール用梱包体の実施の形態２の構成を示す展開図である。図６は、展開状態の太陽電池モジュール用梱包体の上側壁面を下段太陽電池モジュールの短側面に当てて折曲げ、上折返面と上側壁部とを下段太陽電池モジュールの表面に当てて折曲げ、上係止片を上係止部で係止させ、上段太陽電池モジュールを積載した状態を示すコーナー周りの拡大正面図である。
【００２４】
実施の形態１の太陽電池モジュールを単独で包装する太陽電池モジュール用梱包体とは異なり、本実施の形態では、側面２ｂと底面３ｂとの間の折目Ｅに上係止部１ｆと下係止部２ｆとを設けている。
【００２５】
底面３ｂの上方には、上側壁面３ａとスリット状の上差込部３を有する上折返面１ｃとが折目Ｃ、Ｊを介して連接して設けられており、さらに上折返面１ｃの左方には上係止片１ｅを有する上側壁部１ｄが折目Ｉを介して連接されている。すなわち、上側壁面３ａと上折返面１ｃとの境界には、横方向の一方（図５での右方向）側からスリット状に設けられた上差込部３が形成されている。底面３ｂの下方には、下側壁面６ａとスリット状の下差込部６とを有する下折返面２ｃとが折目Ｈ、Ｌを介して連接して設けられており、さらに下折返面２ｃの左方には下係止片２ｅを有する下側壁部２ｄが折目Ｋを介して連接されている。すなわち、下側壁面６ａと下折返面２ｃとの境界には、横方向の一方（図５での右方向）側からスリット状に設けられた下差込部６が形成されている。
【００２６】
天面１ｂ、側面２ｂ、上側壁面１ａ及び下側壁面４ａ（第３の側壁面部）並びに上側壁面２ａ及び下型壁面５ａ（第２の側壁面部）については実施の形態１と同様である。
【００２７】
太陽電池モジュール用梱包体１０の上側壁面３ａを下段太陽電池モジュールＭ２の短側面に当てて折曲げ、上折返面１ｃと上側壁部１ｄとを下段太陽電池モジュールＭ２の表面に当てて折曲げ、上係止片１ｅを上係止部１ｆで係止させてから、上段太陽電池モジュールＭ１を積載することにより、太陽電池モジュール用梱包体１０が組上がり、段ボールの反発力によって、太陽電池モジュールＭ１、Ｍ２が容易かつ強固に保持される。
【００２８】
なお、側面２ｂ及び天面１ｂを折り曲げ、上側壁面１ａ、２ａを順に組み立てて梱包する手順は、上記実施の形態１と同様である。また、太陽電池モジュール用梱包体１０の下側壁面６ａを下段太陽電池モジュールＭ２の短側面に当てて折曲げ、下折返面２ｃと下側壁部２ｄとを下段太陽電池モジュールＭ２の表面に当てて折曲げ、下係止片２ｅを下係止部２ｆで係止させた後に、下差込片４、５を下差込部６に差し込むことによって太陽電池モジュール用梱包体１０を組み立てて下側壁面４ａ、５ａで太陽電池モジュールＭ１、Ｍ２のコーナーを被覆して梱包する手順も実施の形態１と同様である。
【００２９】
本実施の形態にかかる太陽電池モジュール用梱包体は、複数の太陽電池モジュールＭ１、Ｍ２をまとめて梱包できるため、梱包や開梱の作業の省力化を図ることができる。なお、ここでは２枚の太陽電池モジュールをまとめて梱包する場合を例としているが、本実施の形態にかかる太陽電池モジュール用梱包体は、３以上の太陽電池モジュールをまとめて梱包する構造とすることも可能である。
【００３０】
実施の形態３．
図７は、本発明にかかる太陽電池モジュール用梱包体の実施の形態３の構成を示す斜視図である。実施の形態１、２では、太陽電池モジュールの長側面を全て被覆する構造の梱包体だが、図７に示すように、太陽電池モジュールのコーナー部のみ被覆し梱包する構造とすれば、太陽電池モジュールの外形サイズにかかわらず梱包でき、さらなる梱包材の削減が可能となる。
【産業上の利用可能性】
【００３１】
以上のように、本発明にかかる太陽電池モジュール用梱包体は、梱包・開梱作業効率が高く、シートの反発力を利用して太陽電池モジュールを強固に固定できる点で有用である。
【符号の説明】
【００３２】
１、２  上差込片
１ａ、２ａ、３ａ  上側壁面
１ｂ  天面
１ｃ  上折返面
１ｄ  上側壁部
１ｅ  上係止片
１ｆ  上係止部
１ｇ、２ｇ、４ｇ、５ｇ  切り欠き
２ｂ  側面
２ｃ  下折返面
２ｄ  下側壁部
２ｅ  下係止片
２ｆ  下係止部
３  上差込部
３ｂ  底面
３ｃ、６ｃ  凹部
４ａ、５ａ、６ａ  下側壁面
４、５  下差込片
６  下差込部
１０  太陽電池モジュール用梱包体
Ｍ、Ｍ１、Ｍ２  太陽電池モジュール
Ｂａ  ポリプロピレンバンド
Ｐａ  パッド
ＰＬ  パレット
Ｓ  ストレッチフィルム
【図１】
0005836148.tif 000002
【図２】
0005836148.tif 000003
【図３】
0005836148.tif 000004
【図４】
0005836148.tif 000005
【図５】
0005836148.tif 000006
【図６】
0005836148.tif 000007
【図７】
0005836148.tif 000008